(57)【要約】【課題】この発明は利用者が寄り掛っても、後方へ倒れることなく安定して使用することができるリクライニング式マットレス装置を提供することにある。【解決手段】第１のボトムフレーム１と、この第１のボトムフレームにヒンジ機構４によって回動可能かつ所定の回動角度で保持可能に連結された第２のボトムフレーム２と、上記第１のボトムフレームと第２のボトムフレームとの上面に設けられたスプリングユニット７と、このスプリングユニットを被覆した外装体１５と、第１のボトムフレームよりも長く形成されこの第１のボトムフレームの下面に幅方向に所定間隔で離間して固定された一対の保持部材２１とを具備する。【選択図】      図２
2005080909.tif 000002
【特許請求の範囲】
【請求項１】
第１のボトムフレームと、
この第１のボトムフレームにヒンジ機構によって回動可能かつ所定の回動角度で保持可能に連結された第２のボトムフレームと、
上記第１のボトムフレームと第２のボトムフレームとの上面に設けられたスプリングユニットと、
このスプリングユニットを被覆した外装体と、
上記第１のボトムフレームよりも長く形成されこの第１のボトムフレームの下面に幅方向に所定間隔で離間して固定された一対の保持部材と
を具備したことを特徴とするリクライニング式マットレス装置。
【請求項２】
上記保持部材は、上記第１のボトムフレームと第２のボトムフレームとがなす長さ寸法とほぼ同じ長さ寸法に形成されているとともに、上記第１のボトムフレームの幅方向に対して取付け位置の変更が可能な構成であることを特徴とする請求項１記載のリクライニング式マットレス装置。
【請求項３】
上記第２のボトムフレームの端部には、この第２のボトムフレームを起立方向に回動させるための操作部材が設けられていることを特徴とする請求項１記載のリクライニング式マットレス装置。
【請求項４】
リクライニング式マットレス装置が設けられるベッド装置において、
上記ベッド装置は、
ベッド本体と、
このベッド本体の幅方向の両側内面に幅方向と交差する方向に沿って設けられた受け桟とから構成され、
上記リクライニング式マットレス装置は、
第１のボトムフレームと、
この第１のボトムフレームにヒンジ機構によって回動可能かつ所定の回動角度で保持可能に連結された第２のボトムフレームと、
上記第１のボトムフレームと第２のボトムフレームとの上面に設けられたスプリングユニットと、
このスプリングユニットを被覆した外装体と、
上記第１のボトムフレームよりも長く形成されこの第１のボトムフレームの下面に上記ベッド本体に設けられた一対の受け桟とほぼ同じ間隔で離間して固定された一対の保持部材とから構成され、
上記リクライニング式マットレス装置は、上記一対の保持部材を上記ベッド本体に設けられた上記一対の受け桟に係合させて上記ベッド本体に設けられることを特徴とするベッド装置。
【発明の詳細な説明】
【技術分野】
【０００１】
この発明は利用者の上半身を起こした状態で支持するリクライニング式マットレス装置及びそのマットレス装置が用いられるベッド装置に関する。
【背景技術】
【０００２】
たとえば、ベッド装置にはベッド本体に設けられる床板を複数の床部に分割し、これら床部を回動可能に連結するとともに、利用者の上半身に対応する床部を背上げ機構によって起伏駆動するようにしたリクライニング式のベッド装置が知られている。
【０００３】
リクライニング式のベッド装置においては、上記床板上にマットレスが載置されており、上記床部が上記背上げ機構によって起上方向に駆動されると、マットレスの上記床部に対応する部分が上方へ屈曲される。それによって、利用者はマットレス上で上半身を起こした姿勢を維持することができるようになっている。
【発明の開示】
【発明が解決しようとする課題】
【０００４】
しかしながら、ベッド装置をリクライニング式にすると、ベッド本体に複数の床部に分割された床板を設けなければならないばかりか、床部の一部を起伏駆動するための背上げ機構が必要となる。そのため、ベッド装置の構成が複雑化したり、コストが上昇するということがある。
【０００５】
この発明は、背上げ機構を備えたベッド装置を用いなくても、利用者の上半身を起こした状態で保持することができるようにしたリクライニング式マットレス装置を提供することにある。
【０００６】
この発明は、ベッド本体にリクライニング式マットレス装置を設けることで、構成の複雑化やコストの上昇を招くことなく、利用者の上半身を起こした状態で保持することができるようにしたベッド装置を提供することにある。
【課題を解決するための手段】
【０００７】
この発明は、第１のボトムフレームと、
この第１のボトムフレームにヒンジ機構によって回動可能かつ所定の回動角度で保持可能に連結された第２のボトムフレームと、
上記第１のボトムフレームと第２のボトムフレームとの上面に設けられたスプリングユニットと、
このスプリングユニットを被覆した外装体と、
上記第１のボトムフレームよりも長く形成されこの第１のボトムフレームの下面に幅方向に所定間隔で離間して固定された一対の保持部材と
を具備したことを特徴とするリクライニング式マットレス装置にある。
【０００８】
上記保持部材は、上記第１のボトムフレームと第２のボトムフレームとがなす長さ寸法とほぼ同じ長さ寸法に形成されているとともに、上記第１のボトムフレームの幅方向に対して取付け位置の変更が可能な構成であることが好ましい。
【０００９】
この発明は、リクライニング式マットレス装置が設けられるベッド装置において、
上記ベッド装置は、
ベッド本体と、
このベッド本体の幅方向の両側内面に幅方向と交差する方向に沿って設けられた受け桟とから構成され、
上記リクライニング式マットレス装置は、
第１のボトムフレームと、
この第１のボトムフレームにヒンジ機構によって回動可能かつ所定の回動角度で保持可能に連結された第２のボトムフレームと、
上記第１のボトムフレームと第２のボトムフレームとの上面に設けられたスプリングユニットと、
このスプリングユニットを被覆した外装体と、
上記第１のボトムフレームよりも長く形成されこの第１のボトムフレームの下面に上記ベッド本体に設けられた一対の受け桟とほぼ同じ間隔で離間して固定された一対の保持部材とから構成され、
上記リクライニング式マットレス装置は、上記一対の保持部材を上記ベッド本体に設けられた上記一対の受け桟に係合させて上記ベッド本体に設けられることを特徴とするベッド装置にある。
【発明の効果】
【００１０】
この発明によれば、第１のボトムフレームの下面に、この第１のボトムフレームよりも長い一対の保持部材を設けた。そのため、第１のボトムフレームにヒンジ機構によって連結された第２のボトムフレームを所定の角度で起上させ、利用者がその起上させた部分に寄り掛っても、上記保持部材の第１のボトムフレームから延出した部分によって第１のボトムフレームが利用者が寄り掛った方向に浮き上がるのが阻止されるから、利用者が寄り掛っても、安定した状態で使用することができる。
【発明を実施するための最良の形態】
【００１１】
以下、この発明の一実施の形態を図面を参照して説明する。  
図１（ａ）はリクライニング式マットレス装置Ｍを起上させた状態を示し、同図（ｂ）はこのリクライニング式マットレス装置Ｍが設けられたベッド装置Ｂを示し、同図（ｃ）はリクライニング式マットレス装置Ｍをベッド装置Ｂ上で起上させた状態を示す。
【００１２】
上記リクライニング式マットレス装置Ｍは図２と図３に示すように矩形枠状の第１のボトムフレーム１と、この第１のボトムフレーム１よりも短い矩形枠状に形成された第２のボトムフレーム２とを備えている。各ボトムフレーム１，２の長手方向一端部の幅方向両端部上面にはそれぞれ矩形板状の台座３が設けられ、これら台座３に取り付けられたヒンジ機構４によって上記第２のボトムフレーム２は第１のボトムフレーム１に対して回動可能かつ所定の回動角度で保持可能に連結されている。
【００１３】
なお、上記ヒンジ機構４は、図２に示すように第１のアーム５ａと第２のアーム５ｂとの一端が枢着されてなり、一方のアームが他方のアームに対して所定の回動角度で段階的に保持されるようになっているとともに、最大保持角度よりもさらに回動させると、一方のアームがもとの状態、つまり一対のボトムフレーム１，２が水平に戻るようになっている。
【００１４】
上記第１、第２のボトムフレーム１，２の上面にはスプリングユニット７が設けられている。このスプリングユニット７は図２と図３に示すように１本の線材によって複数のコイルばね部８ａが軸線をほぼ平行にして連続して形成された複数のばね体８が各ボトムフレーム１，２の幅方向に並設されている。矩形状をなしたスプリングユニット７の上面と下面との周縁部には、図３に示すようにそれぞれ上部枠線１１と下部枠線１２とが連結されている。各枠線１１，１２は、第１のボトムフレーム１と第２のボトムフレーム２との連結部分でそれぞれ２つの部分１１ａ，１２ａに分断されている。
【００１５】
上記スプリングユニット７の幅方向両側で、上記一対のヒンジ機構４に対応する長手方向中途部の部分には、上記ヒンジ機構４との干渉を防止するための凹部９が形成されている。この凹部９は、スプリングユニット７の幅方向両側に位置するばね体８の一部を除去して形成されている。  
なお、ヒンジ機構４は、スプリングユニット７がぶつかって騒音が発生するのを防止するために厚手の布地などからなる接触防止部材１３（図２に示す）で覆われている。
【００１６】
図２に示すように、上記スプリングユニット７の上面にはウレタンフォームなどによってシート状に形成された弾性材１４が設けられ、この弾性材１４が設けられた上面と外周面は外装体１５によって覆われている。この外装体１５は２枚の布地１５ａの間にシート状弾性材１５ｂを設け、これら三者を一体的にキルティングして形成されている。この外装体１５の周縁部は、第１、第２のボトムフレーム１，２の下面周縁部にタッカーなどによって固定されている。
【００１７】
第２のボトムフレーム２の、第１のボトムフレーム１とヒンジ機構４によって連結された長手方向一端と反対側の他端の下面には紐状の操作部材１６の一端が連結固定されている。この操作部材１６の他端を第２のボトムフレーム２が上昇する方向に引けば、ヒンジ機構４を作動させながら第２のボトムフレーム２を上昇方向に回動させることができる。第２のボトムフレーム２を所定の角度まで起上させたならば、上記操作部材１６から手を離せば、その位置で第２のボトムフレーム２を上記ヒンジ機構４によって倒伏不能に保持できる。
【００１８】
なお、各ボトムフレーム１，２の下面は下地１７によって被覆されている。  
第２のボトムフレーム２を起上させると、その起上に応じてスプリングユニット７が屈曲される。スプリングユニット７の上下面周縁部に設けられた上下の枠線１１，１２はヒンジ機構４と対応する箇所で分断されているから、枠線１１，１２がスプリングユニット７の屈曲を妨げることがない。
【００１９】
上記第１、第２のボトムフレーム１，２の下面には、これらボトムフレーム１，２がなす長さ寸法とほぼ同じ長さ寸法に形成された角筒状の一対の保持部材２１が上記第１のボトムフレーム１に固定されて設けられている。上記保持部材２１はたとえばアルミニウムや合成樹脂などによって形成されていて、上記第１のボトムフレーム１の下面に埋設されたナット２２にねじ２３によって着脱可能に取付け固定されている。
【００２０】
上記第１のボトムフレーム１の下面には、図４（ａ）〜（ｃ）に示すように長手方向に２つのナット２２が幅方向に６組設けられている。つまり、ナット２２は、第１のボトムフレーム１の幅方向両端部に２組と、幅方向中央を中心にして左右対称にそれぞれ２組づつ設けられている。それによって、一対の保持部材２１は図４（ａ）に示すように第１のボトムマットフレーム１の幅方向両端部に設けたり、同図（ｂ）に示すように幅方向一端部寄りに設けたり、同図（ｃ）に示すように幅方向他端部寄りに設けるなど、６組のナット２２のうちの２組を選択することで、幅方向に所定の位置に、所定の間隔で設けることが可能となっている。
【００２１】
上記構成のリクライニング式マットレス装置Ｍは床面や畳みの上などに設置して利用することができ、その場合、図１（ａ）に示すように第２のボトムフレーム２を第１のボトムフレーム１に対して所定の角度で起上させれば、利用者は起上した第２のボトムフレーム２によって上半身を起こした姿勢をとることができる。
【００２２】
利用者が起上した第２のボトムフレーム２に寄り掛ると、マットレス装置Ｍが後方に倒れる虞がある。しかしながら、第１のボトムフレーム１の下面には、第１のボトムフレーム１よりも長い一対の保持部材２１が一端部側を第１のボトムフレーム１に固定し、他端部側を第２のボトムフレーム２側に突出させて設けられている。
【００２３】
そのため、マットレス装置Ｍ上で利用者が所定の角度で起上した第２のボトムフレーム２の部分に寄り掛っても、マットレス装置Ｍは一対の保持部材２１によって支えられて後方へ倒れるのが阻止されるから、利用者は上半身を起こした姿勢を安定して維持することができる。
【００２４】
上記構成のリクライニング式マットレス装置Ｍはベッド装置Ｂに利用される。ベッド装置Ｂは図５（ｂ）や図５（ｄ）に示すベッド本体２５Ａ，２５Ｂを有する。図５（ｂ）に示すベッド本体２５Ａは、上記リクライニング式マットレス装置Ｍの幅寸法とほぼ同じ間隔で平行に離間した一対の側板２６を有する。これら側板２６の長手方向一端はヘッドボード２７によって連結され、他端はフットボード２８によって連結されている。
【００２５】
上記ベッド本体２５Ａには、一対の側板２６の内面の高さ方向中途部にそれぞれ受け桟２９（一方のみ図示）が長手方向に沿って設けられている。そして、上記マットレス装置Ｍは下面に設けられた一対の保持部材２１を上記受け桟２９の上面に係合させてベッド本体２５Ａに支持されている。
【００２６】
図５（ｄ）に示すベッド本体２５Ｂは図示しない引き出しが出し入れ可能に設けられた収納ボックス３１有し、この収納ボックス３１の背面側には１枚の側板２６が平行に離間対向して配置されている。収納ボックス３１と側板２６との長手方向一端にはヘッドボード２７が設けられ、他端にはフットボード２８が設けられている。上記収納ボックス３１の背面と、上記側板２６の内面との高さ方向中途部には、それぞれ長手方向に沿って受け桟２９（収納ボックス３１側だけ図示）が設けられている。
【００２７】
上記構成のベッド本体２５Ｂに支持されるリクライニング式マットレス装置Ｍは、図４（ｂ）に示すように一対の保持部材２１の一方は第１のボトムフレーム１の幅方向一端部に設けられ、他方は幅方向中央部に取付け固定されている。一対の保持部材２１の間隔は収納ボックス３１の背面と、側板２６の内面とに設けられた一対の受け桟２９とほぼ同じ間隔となっている。それによって、上記マットレス装置Ｍは下面に設けられた一対の保持部材２１を、ベッド本体２５Ｂに設けられた一対の受け桟２９の上面に係合させて支持される。
【００２８】
上記構成のリクライニング式マットレス装置Ｍは、第１のボトムフレーム１の下面に設けられる一対の保持部材２１の間隔を、ベッド装置Ｂのベッド本体２５Ａ，２５Ｂに設けられる一対の受け桟２９の間隔に応じて設定することができる。
【００２９】
そのため、ベッド装置Ｂが収納ボックス３１を備えていないベッド本体２５Ａや収納ボックス３１を備えたベッド本体２５Ｂのいずれであっても、そのベッド装置Ｂのベッド本体２５Ａ，２５Ｂに設けられた一対の受け桟２９に、マットレス装置Ｍに設けられた保持部材２１を係合させることで、このマットレス装置Ｍをベッド装置Ｂに保持することができる。
【００３０】
ベッド装置Ｂに保持されたマットレス装置Ｍは、図１（ｂ）に示すようにマットレス装置Ｍを水平に展開させて使用したり、同図（ｃ）に示すように第２のボトムフレーム２の部分を所定の角度で起上させて使用することができる。
【００３１】
図１（ｃ）に示すように、マットレス装置Ｍを、第２のボトムフレーム２の部分を起上させて使用する場合、第１のボトムフレーム１の下面に一端部を固定して設けられた一対の保持部材２１は、それらの他端部を起上した第２のボトムフレーム２側に突出させている。
【００３２】
そのため、利用者がマットレス装置Ｍ上で起上した第２のボトムフレーム２の部分に寄り掛っても、上記保持部材２１の他端部によってマットレス装置Ｍが後方へ倒れるのが阻止されるから、利用者は上半身を起こした姿勢を安定して維持することができる。
【００３３】
上記第１のボトムフレーム１の下面には、幅方向中央部を中心にして左右対称にそれぞれ２つで対をなす３組のナット２２が設けられている。そのため、図５（ｄ）に示すようにフットボード２８側から見てベッド本体２５Ｂの幅方向右側に収納ボックス３１が設けられている場合や図示しないが逆に幅方向左側に収納ボックス３１が設けられている場合のいずれであっても、一対の保持部材２１の取付け位置を変更することで、マットレス装置Ｍをベッド本体２５Ｂに支持することができる。
【００３４】
なお、図１（ａ）に示すように、マットレス装置Ｍをベッド装置Ｂを用いずに、単独で使用する場合には、一対の保持部材２１を、図４（ａ）に示すように第１のボトムフレーム１の幅方向両端部に取付けることで、マットレス装置Ｍが幅方向にガタ付くのを防止できるとともに、第２のボトムフレーム２を起上させて使用するときの安定も向上させることができる。
【図面の簡単な説明】
【００３５】
【図１】（ａ）はこの発明の一実施の形態を示すマットレス装置を起上させた斜視図、（ｂ）はベッド装置に支持されたマットレス装置が平坦な状態を示す斜視図、（ｃ）はベッド装置に支持されたマットレス装置を起上させた状態を示す斜視図。
【図２】マットレス装置の長手方向に沿う断面図。
【図３】ボトムフレームとスプリングユニットを分解して示す斜視図。
【図４】（ａ）〜（ｃ）はそれぞれ異なる位置に一対の保持部材を設けたマットレス装置の下面を示す図。
【図５】（ａ）は幅方向両端部の下面に一対の保持部材を設けたマットレス装置の斜視図、（ｂ）は（ａ）のマットレス装置を支持するベッド本体の斜視図、（ｃ）は幅方向一端部と中央部の下面に一対の保持部材を設けたマットレス装置の斜視図、（ｄ）は（ｃ）のマットレス装置を支持するベッド本体の斜視図。
【符号の説明】
【００３６】
１…第１のボトムフレーム、２…第２のボトムフレーム、４…ヒンジ機構、７…スプリングユニット、１６…操作部材、２１…保持部材、２５Ａ，２５Ｂ…ベッド本体。
【図１】
2005080909.tif 000003
【図２】
2005080909.tif 000004
【図３】
2005080909.tif 000005
【図４】
2005080909.tif 000006
【図５】
2005080909.tif 000007